(57)【要約】      （修正有）【課題】テンプルとリムの脱着やスマートグラスのインテリジェントシステムのアップデート又はアップグレードが便利であり、資源の無駄を低減するとともに、テンプルを取り替えることにより、スマートグラスの使用期間を向上することができるワイヤレス・スマートグラスを提供する。【解決手段】リム１、レンズ２、テンプル３を含み、レンズはリム正面の両側に取り付けられ、リムの両端は連結装置を介してテンプルと脱着可能に連結され、連結装置は連結部一４と連結部二５を含む。連結部一はリムの両端に固定され、連結部二はテンプルの前端に取り付けられ、連結部二と連結部一はクランプ連結される。テンプルの中にモバイル端末と通信可能なインテリジェントシステムが設置される。【選択図】図１
0003224798.tif 000002
【実用新案登録請求の範囲】
【請求項１】
リム、レンズ、テンプルを含み、前記レンズは前記リム正面の両側に取り付けられ、前記リムの両端は連結装置を介してテンプルと脱着可能に連結され、前記連結装置は連結部一と連結部二を含み、前記連結部一は前記リムの両端に固定され、前記連結部二は前記テンプルの前端に取り付けられ、前記連結部二と前記連結部一はクランプ連結される、ことを特徴とするワイヤレス・スマートグラス。
【請求項２】
前記テンプルの中にはインテリジェントシステムが設置され、前記インテリジェントシステムはリチウム電池やマイクロ型コントローラー、完全ワイヤレス・ブルートゥース（登録商標）・モジュールとオーディオ・モジュールを含み、前記テンプル上にはスピーカーが設置され、前記リチウム電池や前記ワイヤレス・ブルートゥース（登録商標）・モジュールとオーディオ・モジュールはいずれも前記マイクロ型コントローラーと電気連結され、前記マイクロ型コントローラーは前記ワイヤレス・ブルートゥース（登録商標）・モジュールを介してモバイル端末と連結され、前記オーディオ・モジュールは前記スピーカーと連結される、ことを特徴とする請求項1に記載のワイヤレス・スマートグラス。
【請求項３】
前記インテリジェントシステムは、接近センサーを含み、前記接近センサーは前記マイクロ型コントローラーと電気連結される、ことを特徴とする請求項２に記載のワイヤレス・スマートグラス。
【請求項４】
前記テンプル上にはＵＳＢＣインタフェースが設置される、ことを特徴とする請求項２又は３に記載のワイヤレス・スマートグラス。
【請求項５】
前記リムと前記テンプルは脱着可能に連結され、スマートグラスのインテリジェント・システムをアップデータ・アップグレードすることができる、ことを特徴とする請求項４に記載のワイヤレス・スマートグラス。
【請求項６】
前記リムと前記テンプルは脱着可能に連結され、ビッグ容量の電池に取り換えることができ、スマートグラスの持続力を向上する、ことを特徴とする請求項４に記載のワイヤレス・スマートグラス。
【請求項７】
前記連結部一の後端にはスロットホールが設置され、前記連結部二の前端には前記スロットホールと嵌合するクランプロッドが設置される、ことを特徴とする請求項１に記載のワイヤレス・スマートグラス。
【請求項８】
前記スロットホール中には複数のスプリングチップが設置される、ことを特徴とする請求項７に記載のワイヤレス・スマートグラス。
【請求項９】
前記連結部一の前端には連結棒が設置され、前記連結棒は前記リムを貫通し、前記リムと固定連結される、ことを特徴とする請求項７又は８に記載のワイヤレス・スマートグラス。
【請求項１０】
前記連結部二の後端には固定部が設置され、前記固定部は前記テンプル上に固定して取り付けられ、前記固定部上には回転ピンが取り付けられ、前記クランプロッドは前記回転ピンと回転連結される、ことを特徴とする請求項９に記載のワイヤレス・スマートグラス。
【考案の詳細な説明】
【技術分野】
【０００１】
本考案はメガネ技術分野に関するものであり、さらに詳しくはスマートグラスに関するものである。
【背景技術】
【０００２】
技術の速やかな発展につれ、スマートグラスがだんだん人々の生活に触れることになっているももの、市販のスマートグラスはリムとテンプルの間にネジ固定連結を使用しているので、スマートグラスのインテリジェントシステムのアップデータ又はアップグレードが不便で、資源の無駄になり、スマートグラスの持続力を保証し難く、人々の使用に不便である。
そのため、どのようにヒューマンコンピュータインタラクション(Human Computer Interaction, HCI)に用いるスマートグラスを提供するかは、本分野の技術者たちが急に解決せねばならぬ問題となっている。
【考案の概要】
【０００３】
考案が解決しようとする課題
上記存在する問題を鑑みて、本考案はテンプルとリム脱着が便利で、スマートグラスのインテリジェントシステムのアップデータ又はアップグレードが便利であり、資源の無駄を低減し、スマートグラスの持続力を効果的に向上でき、人々の使用に便利であるワイヤレス・スマートグラスを提供することを目的とする。
【０００４】
課題を実現するための技術手段
リム、レンズ、テンプルを含み、前記レンズは前記リム正面の両側に取り付けられ、前記リムの両端は連結装置を介してテンプルと連結され、前記連結装置は連結部一と連結部二を含み、前記連結部一は前記リムの両端に固定され、前記連結部二は前記テンプルの前端に取り付けられ、前記連結部二と前記連結部一はクランプ連結される、完全ワイヤレス・スマートグラス。
【０００５】
好ましくは、前記テンプルの中にはインテリジェントシステムが設置され、前記インテリジェントシステムはリチウム電池やマイクロ型コントローラー、完全ワイヤレス・ブルートゥース（登録商標）・モジュールとオーディオ・モジュールを含み、前記テンプル上にはスピーカーが設置され、前記リチウム電池や前記完全ワイヤレス・ブルートゥース（登録商標）・モジュールとオーディオ・モジュールはいずれも前記マイクロ型コントローラーと電気連結され、前記マイクロ型コントローラーは前記完全ワイヤレス・ブルートゥース（登録商標）・モジュールを介してモバイル端末と連結され、前記オーディオ・モジュールは前記スピーカーと連結される。また、完全ワイヤレス・ブルートゥース（登録商標）・モジュールを介してマイクロ型コントローラーとモバイル端末との連結を実現し、これによってメガネにミュージック・プレイ機能と通話機能を具備させる。
【０００６】
好ましくは、前記インテリジェントシステムは、接近センサーを含み、前記接近センサーは前記マイクロ型コントローラーと電気連結され、接近センサーはメガネが着用されているかどうかを検出して、オーディオ・モジュールの作動状態をコントロールすることができる。
【０００７】
好ましくは、前記テンプル上にはＵＳＢＣインタフェースも設置され、ＵＳＢＣインタフェースを介して、リチウム電池に充電することができ、スマートグラスの持続力を維持することができる。
【０００８】
好ましくは、前記リムと前記テンプルは脱着可能に連結され、スマートグラスのインテリジェント・システムを便利にアップデータ・アップグレードすることができる。
好ましくは、前記リムと前記テンプルは脱着可能に連結され、便利にビッグ容量の電池に取り換えることができ、スマートグラスの持続力を向上する。
【０００９】
好ましくは、前記連結部一の後端にはスロットホールが設置され、前記連結部二の前端には前記スロットホールと嵌め合うクランプロッドが設置され、クランプロッドはスロットホールに挿し込まれて、連結部一と連結部二の取り付けを実現し、取り外しが便利になる。
【００１０】
好ましくは、前記スロットホール中には複数のスプリングチップが設置され、スプリングチップを介してクランプロッドをしっかりとロッキングして、テンプルの離脱を防げる。
【００１１】
好ましくは、前記連結部一の前端には連結棒が設置され、前記連結棒は前記リムを通り抜け、前記リムと固定連結される。また、連結棒は連結部一とリムを一体にさせて、リムと連結部一の強さと耐用性を向上する。
【００１２】
好ましくは、前記連結部二の後端には固定部が設置され、前記固定部は前記テンプル上に固定・取り付けられ、前記固定部上には回転ピンが取り付けられ、前記クランプロッドは前記回転ピンと回転連結され、よって、テンプルの回転と折り畳みが便利になり、メガネを使用しない時の保存が便利になる。
【００１３】
本考案の有益な効果
本考案は構造が簡単であり、リムと連結部一が固定連結され、テンプルと連結部二が固定連結され、連結部二と連結部一のクランプ連結を介して、挿し／抜きだけでテンプルとリムの脱着を速やかに完了させることができ、使用者の素手操作が便利になり、スマートグラスのインテリジェント・システムのアップデータ又はアップグレードが便利になり、資源の無駄を低減し、スマートグラスの持続力を効果的に向上させることができ、人々の使用が便利になる。
【図面の簡単な説明】
【００１４】
本考案の実施例又は既存技術中の技術手段をさらにはっきりと説明するために、次では実施例又は既存技術に使用される図面について簡単に説明をするが、明らかなことに、次に説明される図面は、ただ本考案の実施例に過ぎず、本分野の普通技術者なら、創造的な労働をせずに、提供される図面によってその他の図面を獲得することもできる。
【００１５】
【図１】は本考案の一つの状態を示した構造略図である。
【図２】は本考案の他の一つの状態を示した構造略図である。
【図３】は本考案のリムとテンプルを取り外した状態を示した構造略図である。
【図４】は本考案のテンプルを折り畳んだ状態を示した構造略図である。
【図５】は本考案のテンプルを示した構造略図である。
【図６】は本考案の作動原理図である。
【考案を実施するための形態】
【００１６】
次では本考案実施例中の図面に結合して、本考案実施例中の技術手段に対して、はっきりと説明することになるが、明らかなことに、説明される実施例はただの本考案の一部の実施例に過ぎず、全部の実施例ではない。本分野の普通技術者が、本考案中の実施例に基づいて、創造的な労働をせずに獲得したすべてのその他の実施例は、いずれも本考案の保護範囲に属する。
【００１７】
図１−６のとおり、本考案は、リム１、レンズ２、テンプル３を含み、前記レンズ２は前記リム１正面の両側に取り付けられ、前記リム１の両端は連結装置を介してテンプル３と脱着可能に連結され、前記連結装置は連結部一４と連結部二５を含み、前記連結部一４は前記リム１の両端に固定され、前記連結部二５は前記テンプル３の前端に取り付けられ、前記連結部二５と前記連結部一４はクランプ連結される、完全ワイヤレス・スマートグラスを提供する。
【００１８】
もう一つの実施例において、前記テンプル３の中にはインテリジェントシステムが設置され、前記インテリジェントシステムはリチウム電池やマイクロ型コントローラー、完全ワイヤレス・ブルートゥース（登録商標）・モジュールとオーディオ・モジュールを含み、前記テンプル３の後端にはスピーカー１１が設置され、前記リチウム電池や前記完全ワイヤレス・ブルートゥース（登録商標）・モジュールとオーディオ・モジュールはいずれも前記マイクロ型コントローラーと電気連結され、前記マイクロ型コントローラーは前記完全ワイヤレス・ブルートゥース（登録商標）・モジュールを介してモバイル端末と連結され、前記オーディオ・モジュールは前記スピーカー１１と連結される。また、完全ワイヤレス・ブルートゥース（登録商標）・モジュールを介してマイクロ型コントローラーとモバイル端末との連結を実現し、これによってメガネにミュージック・プレイ機能と通話機能を具備させる。そのうち、モバイル端末としては、携帯電話やタブレットＰＣ、ノートＰＣなどが含まれる。ブルートゥース（登録商標）は完全ワイヤレス・ブルートゥース（登録商標）技術を使用する。
【００１９】
もう一つの実施例において、マイクロ型コントローラーの型式はＣＳ８６３５コントローラーである。
もう一つの実施例において、前記インテリジェントシステムは、接近センサーを含み、前記接近センサーは前記マイクロ型コントローラーと電気連結される。接近センサーはメガネが着用されているかどうかを検出して、オーディオ・モジュールの作動状態をコントロールす。メガネが着用されている状態を検出した場合には、検出シグナルをマイクロ型コントローラーに発送して、マイクロ型コントローラーはオーディオ・モジュールを作動させ、メガネが着用されていない状態を検出した場合には、検出シグナルをマイクロ型コントローラーに発送して、マイクロ型コントローラーはオーディオ・モジュールの作動をストップさせる。
【００２０】
もう一つの実施例において、前記テンプル３上にはＵＳＢＣインタフェースも設置され、前記ＵＳＢＣインタフェースはテンプル３の底部に位置し、前記ＵＳＢＣインタフェースを介して、リチウム電池に充電することができ、スマートグラスの持続力を維持することができる。
前記リム１と前記テンプル３は脱着可能に連結され、スマートグラスのインテリジェント・システムを便利にアップデータ・アップグレードすることができる。
【００２１】
前記リム１と前記テンプル３は脱着可能に連結され、便利にビッグ容量の電池に取り換えることができ、スマートグラスの持続力を向上する。
もう一つの実施例において、前記連結部一４の後端にはスロットホール６が設置され、前記連結部二５の前端には前記スロットホール６と嵌め合うクランプロッド７が設置され、クランプロッド７はスロットホール６に挿し込まれて、連結部一４と連結部二５の取り付けを実現し、取り外しが便利になる。
【００２２】
もう一つの実施例において、前記スロットホール６中には複数のスプリングチップが設置され、スプリングチップを介してクランプロッド７をしっかりとロッキングして、テンプル３の離脱を防げる。
もう一つの実施例において、前記連結部一４の前端には連結棒８が設置され、前記連結棒８は前記リム１を通り抜け、前記リム１と固定連結される。また、連結棒８は連結部一４とリム１を一体にさせて、リム１と連結部一４の強さと耐用性を向上する。
【００２３】
もう一つの実施例において、前記連結部二５の後端には固定部９が設置され、前記固定部９は前記テンプル３上に固定・取り付けられ、前記固定部９上には回転ピン１０が取り付けられ、前記クランプロッド７は前記回転ピン１０上に嵌められて回転ピン１０と回転連結され、よって、テンプル３の回転と折り畳みが便利になり、メガネを使用しない時の保存が便利になる。
【００２４】
本考案のテンプルとリムはプラスチック材質又はセラミックス材質を使用し、レンズは樹脂材質を使用し、連結装置は金属材質を使用する。
【００２５】
本考案は完全ワイヤレス機能、通話機能、ミュージックプレイ機能、接近センサー着用モニタリング機能などを具備し、人々のスマートグラスを着用する時の楽しみとインタラクティブ体験を向上する。
【００２６】
本考案は構造が簡単であり、リム１と連結部一４が固定連結され、テンプル３と連結部二５が固定連結され、連結部二５と連結部一４のクランプ連結を介して、挿し／抜きだけでテンプル３とリム１の脱着を速やかに完了させることができ、使用者の素手操作が便利になり、テンプル３を取り替えるだけで、スマートグラスのインテリジェント・システムのアップデータ又はアップグレードを実現することができ、資源の無駄を低減し、リチウム電池の電気量が不足している場合、テンプル３を取り替えることによって、スマートグラスの持続力を効果的に向上させることができ、人々の使用が便利になる。
【００２７】
本明細書中の各実施例は、漸進式で説明されており、個々の実施例では重点的にその他の実施例と異なる所だけを説明しているので、それぞれの実施例間の同じ部分と類似した部分を互いに参照すれば良い。実施例に開示された装置については、実施例に開示された方法と対応するので、説明は比較的簡単であり、関連部分は方法の部分を参照すれば良い。
【００２８】
本分野の専門技術者は、開示された実施例の上記説明に基づき、本考案を実現又は使用することができる。これらの実施例に対する色んな修正は、本分野の専門技術者にとっては優しいことであり、本文中に定義された基本原理は本考案の趣旨又は範囲を離れずに、その他の実施例を以って実現することができる。そのため、本考案は本文に記載のこれらの実施例に制限されず、本文に開示された原理と進歩性特徴と一致する最も広い範囲に適合する。
【符号の説明】
【００２９】
１−リム、２−レンズ、３−テンプル、４−連結部一、５−連結部二、６−スロットホール、７−クランプロッド、８−連結棒、９−固定部、１０−回転ピン、１１−スピーカー
【図１】
0003224798.tif 000003
【図２】
0003224798.tif 000004
【図３】
0003224798.tif 000005
【図４】
0003224798.tif 000006
【図５】
0003224798.tif 000007
【図６】
0003224798.tif 000008
【手続補正書】
【提出日】令和1年11月10日(2019.11.10)
【手続補正１】
【補正対象書類名】実用新案登録請求の範囲
【補正対象項目名】全文
【補正方法】変更
【補正の内容】
【実用新案登録請求の範囲】
【請求項１】
リム、レンズ、テンプルを含み、前記レンズは前記リム正面の両側に取り付けられ、前記リムの両端は連結装置を介してテンプルと脱着可能に連結され、前記連結装置は連結部一と連結部二を含み、前記連結部一は前記リムの両端に固定され、前記連結部二は前記テンプルの前端に取り付けられ、前記連結部二と前記連結部一はクランプ連結される、ことを特徴とするワイヤレス・スマートグラス。
【請求項２】
前記テンプルの中にはインテリジェントシステムが設置され、前記インテリジェントシステムはリチウム電池やマイクロ型コントローラー、完全ワイヤレス・ブルートゥース（登録商標）・モジュールとオーディオ・モジュールを含み、前記テンプル上にはスピーカーが設置され、前記リチウム電池や前記ワイヤレス・ブルートゥース（登録商標）・モジュールとオーディオ・モジュールはいずれも前記マイクロ型コントローラーと電気連結され、前記マイクロ型コントローラーは前記ワイヤレス・ブルートゥース（登録商標）・モジュールを介してモバイル端末と連結され、前記オーディオ・モジュールは前記スピーカーと連結される、ことを特徴とする請求項1に記載のワイヤレス・スマートグラス。
【請求項３】
前記インテリジェントシステムは、接近センサーを含み、前記接近センサーは前記マイクロ型コントローラーと電気連結される、ことを特徴とする請求項２に記載のワイヤレス・スマートグラス。
【請求項４】
前記テンプル上にはＵＳＢＣインタフェースが設置される、ことを特徴とする請求項２又は３に記載のワイヤレス・スマートグラス。
【請求項５】
前記リムと前記テンプルは脱着可能に連結され、スマートグラスのインテリジェント・システムをアップデータ・アップグレードすることができる、ことを特徴とする請求項４に記載のワイヤレス・スマートグラス。
【請求項６】
前記連結部一の後端にはスロットホールが設置され、前記連結部二の前端には前記スロットホールと嵌合するクランプロッドが設置される、ことを特徴とする請求項１に記載のワイヤレス・スマートグラス。
【請求項７】
前記スロットホール中には複数のスプリングチップが設置される、ことを特徴とする請求項6に記載のワイヤレス・スマートグラス。
【請求項８】
前記連結部一の前端には連結棒が設置され、前記連結棒は前記リムを貫通し、前記リムと固定連結される、ことを特徴とする請求項6又は7に記載のワイヤレス・スマートグラス。
【請求項９】
前記連結部二の後端には固定部が設置され、前記固定部は前記テンプル上に固定して取り付けられ、前記固定部上には回転ピンが取り付けられ、前記クランプロッドは前記回転ピンと回転連結される、ことを特徴とする請求項8に記載のワイヤレス・スマートグラス。